(57)【要約】【課題】現用系の運用中に予備系側で発光された光が現用系側に影響を及ぼす問題を解決する冗長構成された光波長分割多重伝送装置及び、予備系の光出力信号の波長制御方法を提供する。【解決手段】それぞれ異なる波長の光信号を出力する複数の光送信器と、前記複数の光送信器の出力光を対応する波長のポートに入力し、合波する合波器と、前記合波器の出力を一定レベルとなるように利得制御する光増幅器を有し、前記複数の光送信器のそれぞれは、それぞれ現用と予備用の光送信回路と、前記現用と予備用の光送信回路の各々の出力の減衰量を制御する現用及び予備用の減衰器を含む現用と予備用のパネルと、前記現用及び予備用の減衰器の出力を結合するカプラを備え、前記予備用光送信回路からの出力光の波長を、前記現用の光送信回路からの出力光の波長と異なる設定波長とし、前記予備用の減衰器の減衰量を最大に設定し、その後に、前記予備用の光送信回路の出力光の設定波長を、現用の光送信回路の出力光の波長と同じに目標波長に設定して、前記予備用パネルの設定を行う。【選択図】  図４
2006042155.tif 000002
【特許請求の範囲】
【請求項１】
現用と予備用の光送信回路と、前記現用と予備用の光送信回路の各々の出力の減衰量を制御する現用及び予備用の減衰器を含む現用と予備用のパネルと、前記現用及び予備用の減衰器の出力を結合するカプラを備え、
前記予備用光送信回路からの出力光の波長を、前記現用の光送信回路からの出力光の波長と異なる設定波長とし、前記予備用の減衰器の減衰量を最大に設定し、
前記予備用パネルの設定を行い、
その後に、前記予備用の光送信回路の出力光の設定波長を、現用の光送信回路の出力光の波長と同じ目標波長に設定するように構成されたことを特徴とする光送信器。
【請求項２】
それぞれ異なる波長の光信号を出力する複数の光送信器と、
前記複数の光送信器の出力光を対応する波長のポートに入力し、合波する合波器を有し  、
前記複数の光送信器のそれぞれは、
それぞれ現用と予備用の光送信回路と、前記現用と予備用の光送信回路の各々の出力の減衰量を制御する現用及び予備用の減衰器を含む現用と予備用のパネルと、前記現用及び予備用の減衰器の出力を結合するカプラを備え、
前記予備用光送信回路からの出力光の波長を、前記現用の光送信回路からの出力光の波長と異なる設定波長とし、前記予備用の減衰器の減衰量を最大に設定し、
前記予備用パネルの設定を行い、
その後に、前記予備用の光送信回路の出力光の設定波長を、現用の光送信回路の出力光の波長と同じ目標波長に設定するように構成されたことを特徴とする光波長分割多重装置。
【請求項３】
請求項２において，
前記合波器の出力レベルを一定に制御する光増幅器を更に有することをと特徴とする光波長分割多重装置。
【請求項４】
請求項２又は３において、
前記現用と予備用の光送信回路は、温度に依存して発光波長が変化する特性を有するレーザダイオードを有し、
前記予備用の光送信回路の減衰器の減衰量を最大に制御する際に、前記対応する現用の光送信回路の出力光の波長と反対方向となるように、加温又は冷却して前記設定波長を出力させることを特徴とする光波長分割多重装置。
【請求項５】
それぞれ異なる波長の光信号を出力する複数の光送信器と、前記複数の光送信器の出力光を対応する波長のポートに入力し、合波する合波器とを有し、前記複数の光送信器のそれぞれは、それぞれ現用と予備用の光送信回路と、前記現用と予備用の光送信回路の各々の出力の減衰量を制御する現用及び予備用の減衰器を含む現用と予備用のパネルと、前記現用及び予備用の減衰器の出力を結合するカプラを備えた光波長分割多重装置における前記予備用のパネルの設定方法であって、
前記予備用光送信回路からの出力光の波長を、前記現用の光送信回路からの出力光の波長と異なる波長に設定する過程と、
前記予備用の減衰器の減衰量を最大に設定する過程と、
前記予備用パネルの設定を行う過程と、
ついで、前記予備用の光送信回路の出力光の設定波長を、現用の光送信回路の出力光の波長と同じ目標波長に設定する過程と、
を含むことを特徴とする光波長分割多重装置における予備系光出力の波長制御方法。
【発明の詳細な説明】
【技術分野】
【０００１】
本発明は、冗長構成された光波長分割多重伝送装置及び、予備系光出力の波長制御方法に関する。
【背景技術】
【０００２】
波長分割多重伝送技術を用いた光伝送システムが大容量通信のために使用されている。
【０００３】
かかる光伝送システムは、光波長分割多重伝送装置を光伝送路で接続して構成される。光波長分割多重伝送装置は、信号源からの信号により変調された光波長信号を出力する光送信器を複数収容し、かかる複数の光送信器からのそれぞれ波長の異なる光波長信号を合波器で合成して、光伝送路に送出する構成である。
【０００４】
さらに、光伝送システムの安定化の為に現用、予備の冗長構成が採られている。図1は、かかる光伝送システムにおける光波長分割多重伝送装置の構成例である。
【０００５】
複数の光送信器ＳＤ１〜ＳＤ４の各々は、それぞれ異なる光波長λ1〜λ4の光信号を出力する。複数の光送信器ＳＤ１〜ＳＤ４からの光波長λ1〜λ4の光信号は、合波器（例えばＡＷＧ：Arrayed Waveguide Grating、アレイ導波路格子）１００の対応する入力ポートに入力され、そこで波長分割多重される。さらに波長分割多重された出力は、出力レベルを一定に制御する光増幅器１０１に入力され、増幅され、図示しない光伝送路に出力される。
【０００６】
複数の光送信器ＳＤ１〜ＳＤ４は、同一構成であり、図１の下方に一構成例として、光送信器ＳＤ４が拡大して示されている。
【０００７】
光送信器ＳＤ４は、現用系及び予備系を有し、それぞれ電気／光変換機能を有し、発光波長の制御可能なレーザダイオード(チューナブルＬＤ、以下ＴＮ−ＬＤという)を備える光送信回路１ａ（現用系），１ｂ（予備系）と、それぞれの出力に対する減衰量を制御する可変減衰器（ＶＯＡ：Variable Optical Attenuator）２ａ（現用系）、２ｂ（予備系）を有している。可変減衰器（ＶＯＡ）２ａ、２ｂの出力が結合器３に入力し、結合されて出力される。
【０００８】
ここで、現用系の運用中に、予備系への切替えの準備として、予備系パネルを用意し、その設定を行う必要が生じる。
【０００９】
現用系及び予備系のパネルは、それぞれ対応する光送信回路１ａ（１ｂ）とその出力に減衰量を与える減衰器２ａ（２ｂ）を有している。
【００１０】
現用系側を運用状態のまま、予備系側パネルの再設定を行う場合に、切替え対象の予備側の光送信回路におけるＴＮ−ＬＤの波長の設定及びＴＮ−ＬＤの波長を変調する変調器のバイアス設定を行うためには、一旦予備系側においても発光させることが必要である。
【００１１】
このとき、図１に示す従来の構成では、現用系及び予備系の光送信回路１ａ，１ｂから同一の光波長λ4の光信号が出力される。
【００１２】
かかる場合、可変減衰器（ＶＯＡ）２ｂにおける減衰量は、予備系状態にある光送信回路１ｂの出力に対し、最大とすることが必要である。
【００１３】
可変減衰器２ｂを最大の減衰量にする必要がある理由は大きく２つある。
【００１４】
第１には、予備系側パネルの再設定の対象とされる光送信器において、予備系から結合器３に入力される光レベルを可能な限り小さく制御しないと、現用系側光送信回路１ａ、可変減衰器２ａから結合器３に入力される運用状態の光信号と、予備系からの同一波長の光とが結合されてしまい、運用系の光信号に影響を与え、伝送品質の劣化を招くことである。
【００１５】
第２の理由は、図１において、合波器１００の出力が、光出力レベルを一定に制御（ＡＬＣ（Automatic Level Control）機能を有する）する光増幅器１０１に入力されるからである。
【００１６】
すなわち、ＡＬＣ機能を有する光増幅器１０１により現用系及び予備系の光送信回路１ａ，１ｂからの光信号が同一の光波長λ4であり、予備系の光送信回路１ｂからも光出力があると、結合器３の出力レベルが大きくなり、他の光送信器ＳＤ１〜ＳＤ３の成分レベルを相対的に小さく制御してしまうからである。
【００１７】
ここで、光送信回路１ａ（１ｂ）と可変減衰器（ＶＯＡ）２ａ（２ｂ）の詳細構成が、図２に示される。
【００１８】
光送信回路１ａ（１ｂ）において、発光波長の制御可能なレーザダイオード(ＴＮ−ＬＤ)１０の発光波長が、波長制御部１１により制御され、波長制御されたＴＮ−ＬＤの出力光が、送信信号に対応して変調器１２により変調されて出力される。バイアス制御部１３は、信号レベルに比例して変調器１に対するバイアス電圧を制御する。
【００１９】
一方、可変減衰器２ａ（２ｂ）は、電流可変型の減衰器２０を備え、駆動回路２２からの基準となる電流を与えて所定の減衰量を獲ている。さらに、結合器３の出力レベルを受光素子２１により検知し、これに基づき駆動回路２２により駆動電流を制御して減衰器２０の減衰量を一定に制御する構成である。
【００２０】
ここで、電流可変型の減衰器２０は、図３に示すような温度に依存する減衰特性を有している。図３において、横軸は駆動回路２２から与えられる電流であり、縦軸は損失量即ち、減衰量である。所定の電流において、最大減衰量が得られる。
【００２１】
図示されるように温度により減衰特性が変化し、従って最大減衰量を得るための制御量（駆動電流）も温度により変化する。先に説明したように、予備系を再設定するときに、予備系状態にある光送信回路１ｂの出力に対し、最大減衰量を与えることが必要である。しかし、温度により減衰特性が変化するために、減衰特性は不明で最大減衰量を与える駆動電流を設定することが困難である。
【００２２】
したがって、かかる場合は、先に説明したように他の光送信器の出力に影響を与えることになる。
【００２３】
ここで、波長分割多重技術におけるレーザダイオードのスタートアップ制御方法に関する発明が知られている（特許文献１）。しかし、かかる発明は、レーザダイオードのスタートアップ時において、近接波長とのクロストークの劣化を防止するものであり、上記の現用系の運用中に、予備系を設定する場合の不都合については示唆がない。
【特許文献１】特開２００３−２９８５２４号公報
【発明の開示】
【発明が解決しようとする課題】
【００２４】
したがって、本発明の目的は、現用系の運用中に予備系側で発光された光が現用系側に影響を及ぼす問題を解決する冗長構成された光波長分割多重伝送装置及び、予備系の光出力信号の波長制御方法を提供することにある。
【課題を解決するための手段】
【００２５】
上記の目的を達成する本発明に従う光送信器の態様は、現用と予備用の光送信回路と、前記現用と予備用の光送信回路の各々の出力の減衰量を制御する現用及び予備用の減衰器を含む現用と予備用のパネルと、前記現用及び予備用の減衰器の出力を結合するカプラを備え、
前記予備用光送信回路からの出力光の波長を、前記現用の光送信回路からの出力光の波長と異なる設定波長とし、前記予備用の減衰器の減衰量を最大に設定し、
前記予備用パネルの設定を行い、
その後に、前記予備用の光送信回路の出力光の設定波長を、現用の光送信回路の出力光の波長と同じ目標波長に設定するように構成されたことを特徴とする。
【００２６】
上記の目的を達成する本発明に従う光波長分割多重装置は、第1の態様として、それぞれ異なる波長の光信号を出力する複数の光送信器と、前記複数の光送信器の出力光を対応する波長のポートに入力し、合波する合波器とを有し、前記複数の光送信器のそれぞれは、それぞれ現用と予備用の光送信回路と、前記現用と予備用の光送信回路の各々の出力の減衰量を制御する現用及び予備用の減衰器を含む現用と予備用のパネルと、前記現用及び予備用の減衰器の出力を結合するカプラを備え、前記予備用光送信回路からの出力光の波長を、前記現用の光送信回路からの出力光の波長と異なる設定波長とし、前記予備用の減衰器の減衰量を最大に設定し、前記予備用パネルの設定を行い、その後に、前記予備用の光送信回路の出力光の設定波長を、現用の光送信回路の出力光の波長と同じ目標波長に設定するように構成されたことを特徴とする。
【００２７】
上記の目的を達成する本発明に従う光波長分割多重装置は、第２の態様として、第１の態様において、前記光波長多重装置は、前記合波器の出力を一定レベルとなるように制御する光増幅器をさらに有することを特徴とする。
【００２８】
上記の目的を達成する本発明に従う光波長分割多重装置は、第３の態様として、それぞれ異なる波長の光信号を出力する複数の光送信器と、前記複数の光送信器の出力光を対応する波長のポートに入力し、合波する合波器と、前記合波器の出力を一定レベルとなるように制御する光増幅器を有し、前記複数の光送信器のそれぞれは、それぞれ現用と予備用の光送信回路と、前記現用と予備用の光送信回路の各々の出力の減衰量を制御する現用及び予備用の減衰器を含む現用と予備用のパネルと、前記現用及び予備用の減衰器の出力を結合するカプラを備え、前記予備用光送信回路からの出力光の波長を、前記現用の光送信回路からの出力光の波長と異なる設定波長とし、前記予備用の減衰器の減衰量を最大に設定し、その後に、前記予備用の光送信回路の出力光の設定波長を、現用の光送信回路の出力光の波長と同じに目標波長に設定して、前記予備用パネルの設定を行うように構成されたことを特徴とする。
【００２９】
さらに、上記目的を達成する本発明に従う光波長分割多重装置は、第４の態様として、第２または，第３の態様において、前記現用と予備用の光送信回路は、温度に依存して発光波長が変化する特性を有するレーザダイオードを有し、前記予備用の光送信回路の減衰器の減衰量を最大に制御する際に、前記対応する現用の光送信回路の出力光の波長と反対方向となるように、加温又は冷却して前記設定波長を出力させることを特徴とする。
【００３０】
また、上記目的を達成する本発明に従う光波長分割多重装置は、第５の態様として、第３または，第４態様において、前記減衰器は、電流制御型の可変減衰器であることを特徴とする。
【００３１】
上記目的を達成する本発明に従う光波長分割多重装置の前記予備用のパネルの設定方法は、その方法の第１の態様として、それぞれ異なる波長の光信号を出力する複数の光送信器と、前記複数の光送信器の出力光を対応する波長のポートに入力し、合波する合波器とを有し、前記複数の光送信器のそれぞれは、それぞれ現用と予備用の光送信回路と、前記現用と予備用の光送信回路の各々の出力の減衰量を制御する現用及び予備用の減衰器を含む現用と予備用のパネルと、前記現用及び予備用の減衰器の出力を結合するカプラを備えた光波長分割多重装置における前記予備用のパネルの設定方法であって、前記予備用光送信回路からの出力光の波長を、前記現用の光送信回路からの出力光の波長と異なる波長に設定する過程と、前記予備用の減衰器の減衰量を最大に設定する過程と、前記予備用パネルの設定を行う過程と、ついで、前記予備用の光送信回路の出力光の設定波長を、現用の光送信回路の出力光の波長と同じ目標波長に設定する過程とを含むことを特徴とする。
【００３２】
また、上記目的を達成する本発明に従う光波長分割多重装置における前記予備用のパネルの設定方法の第２の態様は、前記合波器の出力を光増幅器により一定レベルとなるように制御することを特徴とする。
【００３３】
さらに、上記目的を達成する本発明に従う光波長分割多重装置における前記予備用のパネルの設定方法の第３の態様は、それぞれ異なる波長の光信号を出力する複数の光送信器と、前記複数の光送信器の出力光を対応する波長のポートに入力し、合波する合波器と、前記合波器の出力を一定レベルとなるように利得制御する光増幅器を有し、前記複数の光送信器のそれぞれは、それぞれ現用と予備用の光送信回路と、前記現用と予備用の光送信回路の各々の出力の減衰量を制御する現用及び予備用の減衰器を含む現用と予備用のパネルと、前記現用及び予備用の減衰器の出力を結合するカプラを備えた光波長分割多重装置における前記予備用のパネルの設定方法であって、前記予備用光送信回路からの出力光の波長を、前記現用の光送信回路からの出力光の波長と異なる設定波長とし、前記予備用の減衰器の減衰量を最大に設定し、ついで、前記予備用の光送信回路の出力光の設定波長を、現用の光送信回路の出力光の波長と同じに目標波長に設定して、前記予備用パネルの設定を行うことを特徴とする。
【００３４】
さらにまた、上記目的を達成する本発明に従う光波長分割多重装置における前記予備用のパネルの設定方法の態様は、前記現用と予備用の光送信回路に、温度に依存して発光波長が変化する特性を有するレーザダイオードを有し、前記予備用の光送信回路の減衰器の減衰量を最大に制御する際に、前記対応する現用の光送信回路の出力光の波長と反対方向となるように、加温又は冷却し、これにより前記設定波長を出力させることを特徴とする。
【００３５】
本発明の特徴は、以下に図面に従い説明される発明を実施するための最良の形態から更に明らかになる。
【発明の効果】
【００３６】
本発明により、現用系の運用中での、予備系の再設定において、現用系に影響を及ぼすことが無い冗長構成された光波長分割多重伝送装置を提供することが可能である。さらに、他波長への影響を回避することができる。
【発明を実施するための最良の形態】
【００３７】
以下に、本発明の実施の形態例を図面を参照して説明する。尚、図に示される実施の形態例は本発明の理解のためのものであり、本発明の技術的範囲がこれに限定されるものではない。
【００３８】
図４は、本発明に従う光波長分割多重伝送装置の構成例であり、図５は、その予備系の設定原理について説明する図である。
【００３９】
今、図4において、送信器ＳＤ４の現用系が運用状態であって、予備系のパネルの設定を行う場合を想定する。
【００４０】
本発明の基本原理は、送信器ＳＤ４において、先ず予備系用の光送信回路１ｂからの出力光の波長を、例えば、前記光送信器ＳＤ４からの現用出力光の波長λ4とするとこれと異なる波長λ2となるように設定制御する。
【００４１】
ここで、光送信器ＳＤ２の出力波長もλ2としているが、前記光送信器ＳＤ４の予備系の出力波長は、現用系の出力波長λ4と異なれば良く、他光送信器（例えばＳＤ２）の出力波長と一致している必要はない。
【００４２】
このとき、結合器３には現用系側の光送信回路１ａからの波長λ4と予備系用の光送信回路１ｂからの波長λ2の光信号が入力される。
【００４３】
この状態で予備系用の可変減衰器２ｂは上記したとおり、最大の減衰量に制御されているとは限らないので、予備系の光送信回路１ｂからの光があるレベルで結合器３に入力する場合がある。
【００４４】
しかし、予備系の出力波長が異なるため、運用状態の運用系の波長λ４の光信号に対しての影響はない。
【００４５】
そして、波長λ4と波長λ2の光信号が結合されて合波器１００の対応する入力ポートに入力する。
【００４６】
ここで、合波器１００は複数の入力ポートを有し、前記各入力ポートは入力された光のうち、それぞれ特定の波長の光を選択的に抽出し、合波して出力する機能を有する光学手段であり、たとえばＡＷＧである。
【００４７】
したがって、波長λ4と波長λ2の光信号が結合された、光送信器ＳＤ４からの出力光は、合波器１００の対応する入力ポートに入力するが、波長λ2の光信号は、通過（合波）されない。これは前述したように、合波器１００の各入力ポートには、対応する波長のみに対し急峻な選択性を有するフィルタリング機能を有しているからである。これにより、他の光送信回路の出力に影響を与えない。
【００４８】
ついで、可変減衰器２ｂの減衰量を最大に設定する。
【００４９】
具体的には、図２において、結合器３の出力を受光素子２１でモニタし、受光レベルが最小となるように、駆動回路２２によって減衰器２０を制御する。
【００５０】
そして、予備系側パネルの設定を行う。例えば、ＴＮ−ＬＤの波長を変調する変調器のバイアス設定である。
【００５１】
その後光送信回路１ｂの出力波長をλ4に変更設定する。
【００５２】
具体的には、図２において、波長制御部１１によってＴＮ−ＬＤ１０の出力波長をλ４に制御する。
【００５３】
これにより、現用系及び予備系の光送信回路１ａ，１ｂともに同じ波長λ4となるが、光送信回路1ｂの出力が入力される可変減衰器２ｂの減衰量が最大に設定されているので、他の送信器の出力に影響を与えずに、送信機ＳＤ４において、予備系のパネルに切り替えることが可能である。
【００５４】
図５は、可変減衰器が未設定であり、温度に対するその減衰特性が不明であるときの本発明の効果を説明する図である。
【００５５】
図５に示すように、本発明においては、現用系側の出力波長λ４とは異なる波長λ２を予備系側に設定する。また、ＡＷＧは、複数の入力ポートを有し、前記各入力ポートは入力された光のうち、それぞれ特定の波長の光を選択的に抽出し、合波して出力する機能を有する光学手段である。従って、ＡＷＧの各入力ポートには、対応する波長のみに対し急峻な選択性を有するフィルタリング機能を有しており、図５においては、特定の波長λ４を選択、透過し、λ２を含むその他の波長は選択されず、損失が大となるため、予備系であるλ２の光は、現用系に影響を与えず、また、ＡＷＧの上記特性によって、他の光送信回路の出力にも影響を与えない。
【００５６】
図６は本発明にかかる予備系ＴＮ−ＬＤの波長制御方法を説明する図である。
【００５７】
ここで、ＴＮ−ＬＤは短波長側のλ１から長波長側のλ４までの波長がその温度を制御することによって設定（制御）可能であり、この波長帯域のうち、システムとしてはλ１、λ２、λ３、λ４を使用するものとする。
【００５８】
上述したように、予備系のＴＮ−ＬＤは、その発光波長を、現用波長である目標波長(例えば、λ4とする)と一致（クロストーク）しないように設定を行う。すなわち、図６において、予備系のＴＮ−ＬＤの設定波長は、その温度設定で制御されるため、最終的な目標設定波長（温度）に対して反対方向に制御して、現用系波長とは異なるように温度設定を行う。
【００５９】
具体的には、例えば予備系ＴＮ−ＬＤの電源投入時において、その時の温度においてＴＮ−ＬＤの設定可能波長数の中心を境に、
１）（現用系の）目標波長が短波長側であれば、加温し、長波長側で発光させ、
２）（現用系の）目標波長が長波長側であれば、冷却し、短波長側で発光させる。
【００６０】
図６に示す例では、目標波長λ4が長波長側であるので、冷却して、設定波長λ2を出力するように制御する。
【００６１】
図７は、図６に示す予備系ＴＮ−ＬＤの波長設定例を含めた、本発明にかかる、各制御の手順を示す動作フローである。そして、図８は、図７のフローに対応して、図４の光波長分割多重伝送装置の各部の状態を示すテーブルである。
【００６２】
光送信器ＳＤ４の運用時の目標波長λ4が、ＴＮ−ＬＤの設定可能波長の中心位置に対して長波長側にあるので、これと異なる波長に設定が必要な予備系ＴＮ−ＬＤは、短波長側で発光するように、例えば波長λ2で発光するように冷却を行う（ステップＳ１：図７）。これにより目標波長λ4より、より離れた波長を設定波長とすることができ（ステップＳ２）、結合器３において、現用系で運用中の目標波長λ4とは異なる設定となり、λ４とのクロストークを避けることができる。
【００６３】
このように設定された波長λ2で、予備系のＴＮ−ＬＤを発光させる（ステップＳ３）。ついで、予備系について必要な初期設定、例えば予備系ＴＮ−ＬＤのバイアスを制御、設定を行い、且つ予備系可変減衰器２ｂの減衰量を最大にセットする（ステップＳ４）。
【００６４】
予備系について必要な設定が終了したなら、予備系の光送信回路１ｂにおけるＴＮ−ＬＤの波長を目標波長λ4に設定し（ステップＳ５）、予備系の設定を完了した定常状態となる（ステップＳ６）。
【００６５】
この時点で、予備系可変減衰器２ｂは最大減衰量となっており、結合器３への入力レベルが最小となり、運用中の波長λ４の光信号に影響を与えない。
【００６６】
そして、上記過程で、予備側の光送信回路１ｂが光出力を開始してから、予備側の可変減衰器２ｂを減衰量最大に制御するまでの間は、予備側光送信器１ｂからの光も結合器３を介して合波器１００の所定のポートに入力することとなる。
【００６７】
このときの予備系光送信回路１ｂの波長λ２は、合波器１００で選択される波長λ４とは異なるため、合波器１００では合波されず、運用中の現用系光送信回路１ａからの光信号のみが合波されるので、他の光送信器ＳＤ１〜ＳＤ３からの出力波長と合波された光のレベルが光送信器ＳＤ４の予備系光送信回路１ｂからの光レベルに影響されることはなく、光増幅器１０１でＡＬＣ制御が行われていても他の波長λ１、λ２、λ３のレベルに影響を与えず、良好な伝送特性を得ることができる。
【００６８】
尚、上記において、実施の形態例として複数の光送信器を備える波長分割多重装置について説明したが、先に説明した減衰器を最大減衰量にする第１の理由に鑑みて、現用系及び予備系送信回路パネルを有する単一の光送信器に対しても本発明の適用が可能である。
【００６９】
以上に示した本発明の特徴的構成を以下に示す。
【００７０】
（付記１）それぞれ異なる波長の光信号を出力する複数の光送信器と、
前記複数の光送信器の出力光を対応する波長のポートに入力し、合波する合波器とを有し、
前記複数の光送信器のそれぞれは、
それぞれ現用と予備用の光送信回路と、前記現用と予備用の光送信回路の各々の出力の減衰量を制御する現用及び予備用の減衰器を含む現用と予備用のパネルと、前記現用及び予備用の減衰器の出力を結合するカプラを備え、
前記予備用光送信回路からの出力光の波長を、前記現用の光送信回路からの出力光の波長と異なる設定波長とし、前記予備用の減衰器の減衰量を最大に設定し、
前記予備用パネルの設定を行い、
その後に、前記予備用の光送信回路の出力光の設定波長を、現用の光送信回路の出力光の波長と同じ目標波長に設定するように構成されたことを特徴とする光波長分割多重装置。
【００７１】
（付記２）前記光波長多重装置は、前記合波器の出力を一定レベルとなるように制御する光増幅器をさらに有することを特徴とする付記１に記載の光波長分割多重装置。
【００７２】
（付記３）
それぞれ異なる波長の光信号を出力する複数の光送信器と、
前記複数の光送信器の出力光を対応する波長のポートに入力し、合波する合波器と、
前記合波器の出力を一定レベルとなるように制御する光増幅器を有し、
前記複数の光送信器のそれぞれは、
それぞれ現用と予備用の光送信回路と、前記現用と予備用の光送信回路の各々の出力の減衰量を制御する現用及び予備用の減衰器を含む現用と予備用のパネルと、前記現用及び予備用の減衰器の出力を結合するカプラを備え、
前記予備用光送信回路からの出力光の波長を、前記現用の光送信回路からの出力光の波長と異なる設定波長とし、前記予備用の減衰器の減衰量を最大に設定し、
その後に、前記予備用の光送信回路の出力光の設定波長を、現用の光送信回路の出力光の波長と同じに目標波長に設定して、前記予備用パネルの設定を行うように構成されたことを特徴とする光波長分割多重装置。
【００７３】
（付記４）付記２または付記３において、
前記現用と予備用の光送信回路は、温度に依存して発光波長が変化する特性を有するレーザダイオードを有し、
前記予備用の光送信回路の減衰器の減衰量を最大に制御する際に、前記対応する現用の光送信回路の出力光の波長と反対方向となるように、加温又は冷却して前記設定波長を出力させることを特徴とする光波長分割多重装置。
【００７４】
（付記５）付記３又は４において、
前記減衰器は、電流制御型の可変減衰器であることを特徴とする光波長分割多重装置。
【００７５】
（付記６）それぞれ異なる波長の光信号を出力する複数の光送信器と、前記複数の光送信器の出力光を対応する波長のポートに入力し、合波する合波器とを有し、前記複数の光送信器のそれぞれは、それぞれ現用と予備用の光送信回路と、前記現用と予備用の光送信回路の各々の出力の減衰量を制御する現用及び予備用の減衰器を含む現用と予備用のパネルと、前記現用及び予備用の減衰器の出力を結合するカプラを備えた光波長分割多重装置における前記予備用のパネルの設定方法であって、
前記予備用光送信回路からの出力光の波長を、前記現用の光送信回路からの出力光の波長と異なる波長に設定する過程と、
前記予備用の減衰器の減衰量を最大に設定する過程と、
前記予備用パネルの設定を行う過程と、
ついで、前記予備用の光送信回路の出力光の設定波長を、現用の光送信回路の出力光の波長と同じ目標波長に設定する過程と、
を含むことを特徴とする光波長分割多重装置における予備系光出力の波長制御方法。
【００７６】
（付記７）前記合波器の出力を光増幅器により一定レベルとなるように制御することを特徴とする付記６に記載の光波長分割多重装置における前記予備用のパネルの設定方法。
【００７７】
（付記８）それぞれ異なる波長の光信号を出力する複数の光送信器と、前記複数の光送信器の出力光を対応する波長のポートに入力し、合波する合波器と、前記合波器の出力を一定レベルとなるように利得制御する光増幅器を有し、前記複数の光送信器のそれぞれは、それぞれ現用と予備用の光送信回路と、前記現用と予備用の光送信回路の各々の出力の減衰量を制御する現用及び予備用の減衰器を含む現用と予備用のパネルと、前記現用及び予備用の減衰器の出力を結合するカプラを備えた光波長分割多重装置における前記予備用のパネルの設定方法であって、
前記予備用光送信回路からの出力光の波長を、前記現用の光送信回路からの出力光の波長と異なる設定波長とし、
前記予備用の減衰器の減衰量を最大に設定し、
ついで、前記予備用の光送信回路の出力光の設定波長を、現用の光送信回路の出力光の波長と同じに目標波長に設定して、前記予備用パネルの設定を行う
ことを特徴とする光波長分割多重装置における予備系光出力の波長制御方法。
【００７８】
（付記９）付記８において、
前記現用と予備用の光送信回路に、温度に依存して発光波長が変化する特性を有するレーザダイオードを有し、
前記予備用の光送信回路の減衰器の減衰量を最大に制御する際に、前記対応する現用の光送信回路の出力光の波長と反対方向となるように、加温又は冷却し、これにより前記設定波長を出力させることを特徴とする予備系光出力の波長制御方法。
【００７９】
(付記１０)
現用と予備用の光送信回路と、前記現用と予備用の光送信回路の各々の出力の減衰量を制御する現用及び予備用の減衰器を含む現用と予備用のパネルと、前記現用及び予備用の減衰器の出力を結合するカプラを備え、
前記予備用光送信回路からの出力光の波長を、前記現用の光送信回路からの出力光の波長と異なる設定波長とし、前記予備用の減衰器の減衰量を最大に設定し、
前記予備用パネルの設定を行い、
その後に、前記予備用の光送信回路の出力光の設定波長を、現用の光送信回路の出力光の波長と同じ目標波長に設定するように構成されたことを特徴とする光送信器。
【産業上の利用可能性】
【００８０】
本発明により他波長への影響を回避して、現用系の運用中に予備系の再設定において、現用系に影響を及ぼすことが無い冗長構成された光波長分割多重伝送装置を提供することが可能である。これにより波長分割多重伝送装置における信頼性をより高めることが可能であり、産業上寄与するところ大である。
【図面の簡単な説明】
【００８１】
【図１】光伝送システムにおける光波長分割多重伝送装置の構成例を示す図である。
【図２】光送信回路１ａ（１ｂ）と可変減衰器（ＶＯＡ）２ａ（２ｂ）の詳細構成を示す図である。
【図３】電流可変型の減衰器の温度に依存する減衰特性を示す図である。
【図４】本発明に従う光波長分割多重伝送装置の構成例を示す図である。
【図５】図４の予備系の設定原理について説明する図である。
【図６】図５に対する処理方法を示すフローである。
【図７】本発明に従う光波長分割多重伝送装置における予備計の設定を行う動作フローである。
【図８】図７の各ステップにおける、各部の状態を示す図である。
【符号の説明】
【００８２】
ＳＤ１〜ＳＤ４  送信器
１００  合波器
１０１  光増幅器
１ａ，１ｂ  現用系及び、予備系光送信回路
２ａ，２ｂ  現用系及び、予備系可変減衰器
３  結合器
１０  ＴＮ−ＬＤ
１１  波長制御部
１２  変調器
１３  バイアス制御部
２０  電流可変型の減衰器
２１  受光素子
２２  駆動回路
【図１】
2006042155.tif 000003
【図２】
2006042155.tif 000004
【図３】
2006042155.tif 000005
【図４】
2006042155.tif 000006
【図５】
2006042155.tif 000007
【図６】
2006042155.tif 000008
【図７】
2006042155.tif 000009
【図８】
2006042155.tif 000010